(57)【要約】【課題】リレーを容易に搭載することができる電気接続箱を提供する。【解決手段】箱体と、該箱体の外面に搭載されるリレーと、前記箱体の外面から突出し、前記リレーに接続されるバスバーと、前記箱体の外面から突出し、前記バスバーに対向し、前記リレーを支持する支持壁とを備え、前記リレーは、前記バスバー及び支持壁に挟持され、前記バスバーには、前記バスバー及び支持壁間への前記リレーの挿入を案内する案内部が設けられている電気接続箱。【選択図】図１
2020061915.tif 000002
【特許請求の範囲】
【請求項１】
箱体と、
該箱体の外面に搭載されるリレーと、
前記箱体の外面から突出し、前記リレーに接続されるバスバーと、
前記箱体の外面から突出し、前記バスバーに対向し、前記リレーを支持する支持壁と
を備え、
前記リレーは、前記バスバー及び支持壁に挟持され、
前記バスバーには、前記バスバー及び支持壁間への前記リレーの挿入を案内する案内部が設けられている
電気接続箱。
【請求項２】
前記案内部は、前記バスバーの突出端部が前記支持壁の反対側に湾曲することにより形成される湾曲面である請求項１に記載の電気接続箱。
【請求項３】
前記案内部は、前記バスバーの突出端部に形成され、前記突出端部側に向けて前記支持壁との距離が大きくなるように傾く傾斜面である請求項１に記載の電気接続箱。
【請求項４】
前記バスバーは、
前記箱体内に位置し、一方向に長い本体部と、
該本体部の一端部に連続し、前記箱体から突出する突出部と
を有し、
前記本体部の他端部には、前記一方向に長い長孔が設けられている
請求項１から請求項３までのいずれか一つに記載の電気接続箱。
【請求項５】
前記バスバーの厚さは１ｍｍ以上である請求項１から４までのいずれか一つに記載の電気接続箱。
【発明の詳細な説明】
【技術分野】
【０００１】
本発明は、電気接続箱に関する。
【背景技術】
【０００２】
車両には、複数の車載負荷の車載電源への接続に用いられる電気接続箱（例えば、特許文献１参照）が搭載されている。車載負荷は、ランプ、ワイパ又はモータ等の車載機器である。
【０００３】
特許文献１に記載の電気接続箱は、開口を有するロアケース（ロアカバー）と、該ロアケースに開口側から組み付けられるアッパーケース（アッパーカバー）とを備える。アッパーケースの外面にはリレーが固定されている。アッパーケースの外面から板状のバスバーの一端部が突出しており、また、アッパーケースの外面にはバスバーの一端部に対向し、リレーを支持する支持壁（壁部）が突設されている。リレーは、支持壁及びバスバーの一端部間に挟持されている。
【０００４】
バスバーの一端部はリレーに、例えばねじ止めにより固定される。また、バスバーの他端部はアッパーケース等にねじ止めにより固定される。リレー及びバスバーの固定は、例えば、バスバー側の他端部を先にねじ止めした後、リレーをバスバーの一端部及び支持壁間に挿入し、バスバーの一端部及びリレーをねじ止めすることにより行われる。
【先行技術文献】
【特許文献】
【０００５】
【特許文献１】特開２０１８−１２６０４０号公報
【発明の概要】
【発明が解決しようとする課題】
【０００６】
しかしながら、リレーが挿入される支持壁及びバスバーの一端部間の距離はバスバーの固定状態に応じて変化するので、固定状態が適切でない場合、リレーの挿入及び固定に支障をきたし、リレーを容易に搭載できない虞がある。
【０００７】
本発明の目的は、リレーを容易に搭載することができる電気接続箱を提供することにある。
【課題を解決するための手段】
【０００８】
本発明の一態様に係る電気接続箱は、箱体と、該箱体の外面に搭載されるリレーと、前記箱体の外面から突出し、前記リレーに接続されるバスバーと、前記箱体の外面から突出し、前記バスバーに対向し、前記リレーを支持する支持壁とを備え、前記リレーは、前記バスバー及び支持壁に挟持され、前記バスバーには、前記バスバー及び支持壁間への前記リレーの挿入を案内する案内部が設けられている。
【発明の効果】
【０００９】
上記によれば、リレーを容易に搭載することができる。
【図面の簡単な説明】
【００１０】
【図１】実施の形態１に係る電気接続箱の要部を示す模式的断面図である。
【図２】バスバーの斜視図である。
【図３】リレーの搭載手順を示す模式的断面図である。
【図４】リレーの搭載手順を示す模式的断面図である。
【図５】リレーの搭載手順を示す模式的断面図である。
【図６】実施の形態２に係る電気接続箱の要部を示す模式的断面図である。
【図７】実施の形態３に係る電気接続箱の要部を示す模式的断面図である。
【発明を実施するための形態】
【００１１】
本発明の実施態様を列記して説明する。また、以下に記載する実施形態の少なくとも一部を任意に組み合わせても良い。
【００１２】
本発明の一態様に係る電気接続箱は、箱体と、該箱体の外面に搭載されるリレーと、前記箱体の外面から突出し、前記リレーに接続されるバスバーと、前記箱体の外面から突出し、前記バスバーに対向し、前記リレーを支持する支持壁とを備え、前記リレーは、前記バスバー及び支持壁に挟持され、前記バスバーには、前記バスバー及び支持壁間への前記リレーの挿入を案内する案内部が設けられている。
【００１３】
本態様にあっては、支持壁及びバスバー間へのリレーの挿入において、案内部によりリレーの挿入を案内することができる。これにより、リレーを容易に搭載することができる。
【００１４】
本発明の一態様に係る電気接続箱は、前記案内部は、前記バスバーの突出端部が前記支持壁の反対側に湾曲することにより形成される湾曲面である。
【００１５】
本態様にあっては、バスバーの突出端部に形成される湾曲面によりリレーの挿入を案内することができる。
【００１６】
本発明の一態様に係る電気接続箱は、前記案内部は、前記バスバーの突出端部に形成され、前記突出端部側に向けて前記支持壁との距離が大きくなるように傾く傾斜面である。
【００１７】
本態様にあっては、バスバーの突出端部に形成される傾斜面によりリレーの挿入を案内することができる。
【００１８】
本発明の一態様に係る電気接続箱は、前記バスバーは、前記箱体内に位置し、一方向に長い本体部と、該本体部の一端部に連続し、前記箱体から突出する突出部とを有し、前記本体部の他端部には、前記一方向に長い長孔が設けられている。
【００１９】
本態様にあっては、長孔は本体部に沿って長いので、先にバスバー及びリレーをねじ止めすることで決まる本体部の位置に合わせて、長孔におけるねじ止めが可能となる。したがって、リレーの大きさに合わせて、バスバーの固定を行うことができ、リレーの搭載をより容易に行うことができる。
【００２０】
本発明の一態様に係る電気接続箱は、前記バスバーの厚さは１ｍｍ以上である。
【００２１】
本態様にあっては、バスバーにおける電流の抵抗値を低減することができる。
【００２２】
以下、本発明の実施の形態を図面に基づいて具体的に説明する。
図１は実施の形態１に係る電気接続箱の要部を示す模式的断面図である。電気接続箱１は、ランプ、ワイパ又はモータ等の車載負荷の車載電源への接続に用いられる。電気接続箱１は、上部に開口を有する矩形箱形のロアケース１０と該ロアケース１０に開口を塞ぐように組み付けられるアッパーケース１１を備える。
【００２３】
電気接続箱１は、例えばアッパーケース１１を上側とする態様で車両に搭載される。なお、電気接続箱１は、アッパーケース１１を上側とする態様限られず、車両の設計等に応じて斜め又は横向き等の他の態様で搭載されてもよい。
【００２４】
電気接続箱１には、板状の導電部材であるバスバー２，３が収容されている。バスバー２，３の厚さは１ｍｍ以上であることが好ましい。これにより、バスバー２，３に、より大きな電流を流すことが可能となる。また、バスバー２，３の厚さは２ｍｍ以下であることが好ましい。これにより、バスバー２，３がかさばらず、電気接続箱１の小型化を図ることができる。
【００２５】
電気接続箱１のアッパーケース１１の上面には直方体状のリレー４が搭載されている。リレー４は、例えば機械式リレーであり、内部にコイル、バネ等の部品を収容している。リレー４は、車両における各部の状態に応じた信号に基づいて、バスバー２を流れる電流のオンオフを行う。具体的には、リレー４には図示しないバスバーが更に接続されており、該バスバーとバスバー２とを流れる電流のオンオフを行う。
【００２６】
図２はバスバー２の斜視図である。バスバー２は、矩形の本体部２０と、該本体部２０の一端部から略直角に連続する接続部２１を有する。本体部２０の他端部には、長孔２２が設けられている。長孔２２は、本体部２０の長さ方向に沿って長い長円形状である。接続部２１の突出端部２３は、本体部２０の反対側に湾曲しており、本体部２０側に湾曲面２４が形成されている。また、接続部２１には後述のねじが挿入される孔２５が貫設されている。
【００２７】
アッパーケース１１には、バスバー２の接続部２１が挿通する挿通孔１２が厚さ方向に貫設されている。挿通孔１２における前記長さ方向の寸法は、バスバー２の厚さよりも大きい。バスバー２の本体部２０はアッパーケース１１の裏面に沿って配され、接続部２１はアッパーケース１１の外面から略垂直に突出している。アッパーケース１１の外面には、挿通孔１２に沿って、所定距離離隔して支持壁１３が突設されている。支持壁１３は挿通孔１２を挿通するバスバー２の接続部２１に対向している。バスバー２の突出端部２３は支持壁１３の反対側に位置している。
【００２８】
リレー４は、支持壁１３及びバスバー２の接続部２１間に挿入されており、接続部２１はねじ５１によりリレー４にねじ止めされている。ねじ５１は孔２５を挿通し、リレー４に設けられているねじ穴（不図示）に螺合する。ねじ５１によるねじ止めによりリレー４及びバスバー２が互いに当接するように固定される。接続部２１の一面がリレー４に接触することにより、これらが電気的に接続される。
【００２９】
バスバー３は、板状をなし、バスバー２の本体部２０における他端部に下側から重なるように配されている。アッパーケース１１には、バスバー２の長孔２２に対応する位置にねじ穴１４が設けられている。バスバー２は、ねじ５０により、長孔２２においてバスバー３とともにアッパーケース１１のねじ穴１４に対してねじ止めされている。長孔２２は、長手方向において、ねじ５０の軸部よりも大きい寸法であり、いわゆるバカ穴として形成されている。また、長孔２２の幅はねじ５０の頭部よりも小さい寸法である。
【００３０】
図３〜５は、リレー４の搭載手順を示す模式的断面図である。まず、図３に示すように、バスバー２の接続部２１をアッパーケース１１の挿通孔１２に挿通させる。このとき、長孔２２及びねじ穴１４を仮止めしてもよい。
【００３１】
次に、図４に示すように、リレー４を支持壁１３及びバスバー２の接続部２１間に、白抜き矢印の方向に沿って挿入する。このときリレー４の角部分がバスバー２の湾曲面２４に案内されるので、スムーズに挿入することができる。ここで、長孔２２が本体部２０の長さ方向に沿って長く、挿通孔１２の前記長さ方向の寸法がバスバーの厚さよりも大きいので支持壁１３及び接続部２１間の距離がリレー４よりも小さい場合、リレー４の外寸に合わせてバスバー２が移動するので、リレー４を容易に挿入することができる。また、長孔２２は、本体部２０の長さ方向に長いので、バスバー２が前記長さ方向に移動した場合であってもねじ穴１４に重なる。
【００３２】
その後、図５に示すように、リレー４及び接続部２１をねじ５１で固定することにより、リレー４が支持壁１３及び接続部２１に挟持されてアッパーケース１１に固定され、搭載される。ここで、リレー４及び接続部２１が離隔している場合には、ねじ止めにより、接続部２１がリレー４に当接する。これにより、リレー４及び接続部２１の接触面積が小さくなることによる抵抗の増加を防止することができる。
【００３３】
バスバー２の他端部を、長孔２２において、ねじ５０によりバスバー３とともにアッパーケース１１のねじ穴１４に対してねじ止めすることにより、バスバー２がアッパーケース１１に対して固定される。その後ロアケース１０にアッパーケース１１を被せることにより、電気接続箱１が組み立てられる。
【００３４】
以上の構成によれば、湾曲面２４によりバスバー２の接続部２１及び支持壁１３の間へのリレー４の挿入を案内することができる。したがってリレー４を電気接続箱１に容易に搭載することができる。
また、長孔２２が本体部２０に沿って長いので、先にバスバー２及びリレー４をねじ止めし、バスバー２及びリレー４の位置決めをした場合であっても、位置決めに対応して本体部２０が動いたときに長孔２２及びねじ穴１４が重なる。したがって本体部２０の位置に合わせて、長孔２２におけるねじ止めが可能となる。これにより、リレー４の大きさに合わせて、バスバー２を所定の位置に固定することができ、リレー４の搭載をより容易に行うことができる。
なお、支持壁１３は、バスバー２に対向するリレー４の一の側面以外の他の３つの側面を囲むように形成されていてもよい。
【００３５】
（実施の形態２）
実施の形態２における電気接続箱１は、実施の形態１とバスバー２の形状が異なる。実施の形態２における電気接続箱１の構成について実施の形態１と同様の構成については同一の符号を付して詳細な説明を省略する。
【００３６】
図６は、実施の形態２に係る電気接続箱１の要部を示す模式的断面図である。実施の形態２においては、バスバー２の接続部２１の突出端部２３は、湾曲しておらず、突出端部側に向けて薄肉になっており、本体部２０側から反対側に傾く傾斜面２６を有する。傾斜面２６は、突出端部側に行くほど支持壁１３との距離が大きくなるように傾いている。
【００３７】
以上の構成によれば、リレー４を支持壁１３及びバスバー２の接続部２１間に挿入する場合に、リレー４の角部分がバスバー２の傾斜面２６に案内されるので、容易に挿入することができる。したがって、実施の形態１と同様に、リレー４を電気接続箱１に容易に搭載することができる。
【００３８】
（実施の形態３）
実施の形態３における電気接続箱１は、実施の形態１及び２とバスバー２の形状が異なる。実施の形態３における電気接続箱１の構成について実施の形態１と同様の構成については同一の符号を付して詳細な説明を省略する。
【００３９】
図７は、実施の形態３に係る電気接続箱１の要部を示す模式的断面図である。実施の形態３においては、バスバー２の突出端部２３は、本体部２０の反対側に向けて、突出方向に対して鋭角をなすように湾曲している。これにより、本体部２０側に湾曲面２７が形成されている。
【００４０】
以上の構成によれば、リレー４を支持壁１３及びバスバー２の接続部２１間に挿入する場合に、リレー４がバスバー２の湾曲面２７に案内されるので、容易に挿入することができる。したがって、実施の形態１と同様に、リレー４を電気接続箱１に容易に搭載することができる。
【００４１】
今回開示された実施形態はすべての点で例示であって、制限的なものではないと考えられるべきである。本発明の範囲は、上記した意味では無く、特許請求の範囲によって示され、特許請求の範囲と均等の意味及び範囲内でのすべての変更が含まれることが意図される。
【符号の説明】
【００４２】
１  電気接続箱
１０  ロアケース
１１  アッパーケース（箱体）
１２  挿通孔
１３  支持壁
１４  ねじ穴
２  バスバー
２０  本体部
２１  接続部
２２  長孔
２３  突出端部
２４，２７  湾曲面
２５  孔
２６  傾斜面
３  バスバー
４  リレー
【図１】
2020061915.tif 000003
【図２】
2020061915.tif 000004
【図３】
2020061915.tif 000005
【図４】
2020061915.tif 000006
【図５】
2020061915.tif 000007
【図６】
2020061915.tif 000008
【図７】
2020061915.tif 000009